【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
複数の音声サンプルを含む音声のフレームを符号化するために所定の符号化レートの組から符号化レートを選択する装置であって、
前記音声のフレームの特徴を示すパラメータの組を生成するために、前記音声サンプルにそして前記音声サンプルから得られる少なくとも１つの信号に応答するモード測定手段（１２）と、そして
前記パラメータの組を受信し、前記パラメータの組に基づき前記音声サンプルの音響心理学上の特徴を決定し、そして所定のレート選択規則を用いて前記決定された音響心理学上の特徴に基づき前記所定の符号化レートの組から符号化レートを選択するレート決定論理（１４）手段と
を含む装置。
【請求項２】
前記音声サンプルがより大きい音響心理学上の特徴であると決定された場合、前記レート選択規則は前記音声サンプルの符号化のために第１の数のビットを割り当てる前記符号化レートを選択し、そして、前記音声サンプルがより小さい音響心理学上の特徴であると決定された場合、前記レート選択規則は前記音声サンプルの符号化のために第２の数のビットを割り当てる前記符号化レートを選択し、前記第１の数のビットは前記第２の数のビットより大きい、請求項１の装置。
【請求項３】
前記パラメータの組は、音声の前のフレームとそれから得られた合成された音声との間の適合を示す符号化品質比（２）を含む請求項１または２の装置。
【請求項４】
前記パラメータの組は、前記音声サンプルにおける周期性を示す正規化自己相関測定（４）を含む請求項１または２の装置。
【請求項５】
前記パラメータの組は、前記音声フレーム内に高周波部分の存在を示す零交差カウント（６）を含む請求項１または２の装置。
【請求項６】
前記パラメータの組は、ホルマントのフレームからフレームヘの安定性を示す予測利得差分測定（８）を含む請求項１または２の装置。
【請求項７】
前記パラメータの組は、前記音声フレームのエネルギーと平均フレームエネルギーとの間のエネルギーの変化を示すフレームエネルギー差動測定（１０）を含む、請求項１または２の装置。
【請求項８】
前記パラメータの組は、前記音声サンプルのエネルギーと平均フレームエネルギーとの間のエネルギーの変化を示すフレームエネルギー差動測定（１０）を含み、そして前記フレームエネルギー差動測定（１０）が所定の閾値未満の場合、前記レート決定論理手段（１４）は４分の１レート有声音符号化（２６）の符号化モードを選択する請求項１または２の装置。
【請求項９】
前記パラメータの組は、前記音声サンプルにおける周期性を示す正規化自己相関測定（４）および前記音声フレーム内に高周波部分の存在を示す零交差カウント（６）を含み、前記正規化自己相関測定（４）が所定の第１の閾値未満であり、そして前記零交差カウント（６）が所定の第２の閾値を超える場合、前記レート決定論理手段（１４）は４分の１レート無声音符号化（２２）の符号化モードを選択する、請求項１または２の装置。
【請求項１０】
前記所定の符号化レートの組は、フルレート、２分の１レート、４分の１レートを含む請求項１または２の装置。
【請求項１１】
前記パラメータの組は、前記音声サンプルにおける周期性を示す正規化自己相関測定（４）、音声の前のフレームとそれから得られた合成された音声との間の適合を示す符号化品質比（２）と、そして、ホルマントパラメータの組のフレームからフレームヘの安定性を示す予測利得差分測定（８）を含み、そして、前記正規化自己相関測定（４）が所定の第１の閾値を超え、そして前記予測利得差分測定（８）が所定の第２閾値未満であり、そして前記符号化品質比（２）が所定の第３の閾値を超える場合、前記レート決定論理手段（１４）は２分の１レート符号化の符号化モードを選択する請求項１または２の装置。
【請求項１２】
遠隔局が中央通信局と通信を行う通信システムにおいて、前記遠隔局から伝送する音声のフレームの伝送レートを動的に変化させるサブシステムであって、前記サブシステムは前記請求項１の装置を含み、
前記モード測定手段（１２）は、前記音声フレームの特徴を示す前記パラメータの組を生成するために、前記音声フレームにおよび前記音声フレームから得られた信号に応答し、そして
前記レート決定論理手段（１４）はレート命令信号に従って少なくとも１つの閾値を生成するためのレート命令信号を受信するために、そして前記パラメータの組のうち少なくとも１つのパラメータを前記少なくとも１つの閾値と比較するために適応され、そして前記比較に従って符号化レートを選択する、
サブシステム。
【請求項１３】
第１の数のビットを割り当てる前記符号化レートは、前記音声サンプルがより大きい音響心理学上の特徴であると決定された場合に前記音声サンプルの符号化のために選択され、そして第２の数のビットを割り当てる前記符号化レートは、前記音声サンプルがより小さい音響心理学上の特徴である決定された場合に前記音声サンプルの符号化のために選択され、前記第１の数のビットは前記第２の数のビットより大きい、請求項１２のサブシステム。
【請求項１４】
モード測定手段は、前記音声サンプルおよび前記音声サンプルから得られた信号に従う前記音声のフレームの特徴を示すパラメータの組を生成するモード測定計算器を含み、そしてレート決定論理は前記パラメータの組に従って前記音声サンプルの音響心理学上の特徴を決定するため前記パラメータの組を受信し、そして前記所定の符号化レートの組から符号化レートを選択するレート決定論理（１４）を含む請求項１の装置。
【請求項１５】
前記音声サンプルがより大きい音響心理学上の特徴であると決定された場合、第１の数のビットを割り当てる前記符号化レートが前記音声サンプルを符号化するために選択され、そして前記音声サンプルがより小さい音響心理学上の特徴であると決定された場合、第２の数のビットを割り当てる前記符号化レートが前記音声サンプルを符号化するために選択され、そして前記第１の数のビットは前記第２の数のビットより大きい、請求項１４の装置。
【請求項１６】
前記パラメータの組は、音声の前のフレームとそれから得られた合成された音声との間の適合を示す符号化品質比（２）を含む請求項１４または１５の装置。
【請求項１７】
前記パラメータの組は、前記音声サンプルにおける周期性を示す正規化自己相関測定（４）を含む請求項１４または１５の装置。
【請求項１８】
前記パラメータの組は、前記音声フレーム内に高周波部分の存在を示す零交差カウント（６）を含む請求項１４または１５の装置。
【請求項１９】
前記パラメータの組は、ホルマントのフレームからフレームヘの安定性を示す予測利得差分測定（８）を含む請求項１４または１５の装置。
【請求項２０】
前記パラメータの組は、前記音声フレームのエネルギーと平均フレームエネルギーとの間のエネルギーの変化を示すフレームエネルギー差動測定（１０）を含む、請求項１４または１５の装置。
【請求項２１】
前記パラメータの組は、前記音声サンプルにおける周期性を示す正規化自己相関測定（４）、音声の前のフレームとそれから得られた合成された音声との間の適合を示す符号化品質比（２）、そしてホルマントパラメータの組のフレームからフレームヘの安定性を示す予測利得差分測定（８）を含み、そして、前記正規化自己相関測定（４）が所定の第１の閾値を超え、そして前記予測利得差分測定（８）が所定の第２の閾値未満であり、そして前記符号化品質比（２）が第３の所定の閾値を超える場合、前記レート決定論理手段（１４）は２分の１レートの符号化（３０）の符号化モードを選択する、請求項１４または１５の装置。
【請求項２２】
前記パラメータの組は、前記音声サンプルにおける周期性を示す正規化自己相関測定（４）および前記音声フレーム内に高周波部分の存在を示す零交差カウント（６）を含み、そして、前記正規化自己相関測定（４）が所定の第１の閾値未満であり、そして前記零交差カウント（６）が所定の第２の閾値を超える場合、前記レート決定論理手段（１４）は４分の１レートの無声音符号化（２２）の符号化モードを選択する、請求項１４または１５の装置。
【請求項２３】
前記パラメータの組は、前記音声サンプルのエネルギーと平均フレームエネルギーとの間のエネルギーの変化を示すフレームエネルギー差動測定（１０）を含み、そして前記フレームエネルギー差動測定（１０）が所定の閾値未満である場合、前記レート決定論理手段（１４）は４分の１レートの有声音符号化（２６）の符号化モードを選択する、請求項１４または１５の装置。
【請求項２４】
前記所定の符号化レートの組は、フルレート、２分の１レート、４分の１レートを含む請求項４または１５の装置。
【請求項２５】
該モード測定手段は前記音声サンプルおよび前記音声サンプルから得られた信号に基づき前記音声のフレームの特徴を示すパラメータの組を生成するモード測定計算器を含み、そして、該レート決定論理は、前記パラメータの組に基づき前記音声サンプルの音響心理学上の特徴を決定し、そしてレート命令信号に基づき少なくとも１つの閾値を生成するため前記レート命令信号を受信するために、前記パラメータの組を受信し、前記パラメータの組の少なくとも１つのパラメータを前記少なくとも１つの閾値と比較し、そして、前期比較に基づき符号化レートを選択するレート決定論理（１４）を含む、
前記遠隔局から伝送する音声のフレームの伝送レートを動的に変化させる請求項１２のサブシステム。
【請求項２６】
前記音声サンプルがより大きい音響心理学上の特徴であると決定された場合、第１の数のビットを割り当てる前記符号化レートが前記音声サンプルの符号化のために選択され、そして、前記音声サンプルがより小さい音響心理学上の特徴である決定された場合、第２の数のビットを割り当てる前記符号化レートが前記音声サンプル符号化のために選択され、前記第１の数のビットは前記第２の数のビットより大きい、請求項２５のサブシステム。
【請求項２７】
複数の音声サンプルを含む音声のフレームを符号化するために所定の符号化レートの組の符号化レートを選択する方法であって、
前記音声サンプルおよび前記音声サンプルから得られた信号に基づき前記音声のフレームの特徴を示すパラメータの組を生成し、そして
前記音声サンプルの決定された音響心理学上の特徴に基づき前記所定の符号化レートの組みから符号化レートを選択するステップを含み、前記音声サンプルの前記音響心理学上の特徴は前記パラメータの組から決定される、
方法。
【請求項２８】
前記音声サンプルがより大きい音響心理学上の特徴であると決定された場合、第１の数のビットを割り当てる前記符号化レートは前記音声サンプルの符号化のために選択され、そして前記音声サンプルがより小さい音響心理学上の特徴であると決定された場合、前記レート選択規則は前記音声サンプルの符号化のために第２の数のビットを割り当てる前記符号化レートを選択し、前記第１の数のビットは前記第２の数のビットより大きい、請求項２７の方法。
【請求項２９】
前記パラメータの組は、音声の前のフレームとそれから得られた合成された音声との間の適合を示す符号化品質比（２）を含む請求項２７または２８の方法。
【請求項３０】
前記パラメータの組は、前記音声サンプルにおける周期性を示す正規化自己相関測定（４）を含む請求項２７または２８の方法。
【請求項３１】
前記パラメータの組は、前記音声フレーム内に高周波部分の存在を示す零交差カウント（６）を含む請求項２７または２８の方法。
【請求項３２】
前記パラメータの組は、ホルマントのフレームからフレームヘの安定性を示す予測利得差分測定（８）を含む請求項２７または２８の方法。
【請求項３３】
前記パラメータの組は、前記音声フレームのエネルギーと平均フレームエネルギーとの間のエネルギーの変化を示すフレームエネルギー差動測定（１０）を含む、請求項２７または２８の方法。
【請求項３４】
前記パラメータの組は、前記音声サンプルにおける周期性を示す正規化自己相関測定（４）、音声の前のフレームとそれから得られた合成された音声との間の適合を示す符号化品質比（２）と、そして、ホルマントパラメータの組のフレームからフレームヘの安定性を示す予測利得差分測定（８）を含み、そして、前記正規化自己相関測定（４）が所定の第１の閾値を超え、そして前記予測利得差分測定（８）が所定の第２閾値未満であり、そして前記符号化品質比（２）が所定の第３の閾値を超える場合、前記符号化モードを選択する前記ステップは２分の１レート符号化（３０）を選択する、請求項２７または２８の方法。
【請求項３５】
前記パラメータの組は、前記音声サンプルにおける周期性を示す正規化自己相関測定（４）および前記音声フレーム内に高周波部分の存在を示す零交差カウント（６）をさらに含み、そして、前記正規化自己相関測定（４）が所定の第１の閾値未満であり、そして前記零交差カウント（６）が所定の第２の閾値を超える場合、符号化モードを選択する前記ステップは４分の１レートの無声音符号化を選択する、請求項２７または２８の方法。
【請求項３６】
前記パラメータの組は、前記音声サンプルのエネルギーと平均フレームエネルギーとの間のエネルギーの変化を示すフレームエネルギー差動測定（１０）を含み、そして前記フレームエネルギー差動測定（１０）が所定の閾値未満である場合、符号化モードを選択する前記ステップは４分の１レートの有声音符号化を選択する、請求項２７または２８の方法。
【請求項３７】
前記所定の符号化レートの組は、フルレート、２分の１レート、４分の１レートを含む請求項２７または２８の方法。
【請求項３８】
通信システムに関し前記遠隔局から伝送する音声のフレームの伝送レートを動的に変化させるために、前記遠隔局は中央通信局と通信を行い、その方法が
前記音声フレームおよび前記音声フレームから得られた信号に基づき前記音声の前記フレームの特徴を示すパラメータの組を生成し、前記パラメータの組は前記音声サンプルの音響心理学上の特徴を決定するものであり、
レート命令信号を受信し、
前記レート命令信号に基づき少なくとも１つの閾値を生成し、
前記パラメータの組の少なくとも１つのパラメータを前記少なくとも１つの閾値と比較し、そして
前記比較に基づいて符号化レートを選択する
ステップを含む請求項２７に記載の方法。
【請求項３９】
前記音声サンプルがより大きい音響心理学上の特徴であると決定された場合、前記音声サンプルの符号化のために第１の数のビットを割り当てる前記符号化レートが選択され、前記音声サンプルがより小さい音響心理学上の特徴であると決定された場合、前記音声サンプルの符号化のために前記音声サンプルの符号化に関し第２の数のビットを割り当てる前記符号化レートを選択し、前記第１の数のビットは前記第２の数のビットより大きい、
請求項３８の方法。